(57)【要約】【課題】コンパクトに折り畳んだ状態を確実に維持でき、他の郵便物等の挟み込みを防止できるようにする。【解決手段】前壁２から延びる内前板９の両側に折曲片１１を連設し、蓋板５の先端から延びる蓋前片１５の両側部に切込１７を設け、蓋板５の中間部に両側に亘る方向の罫線１８を入れ、解体に際し、蓋板５を開き、内前板９を跳ね上げ、前壁２と側壁３とを繋ぐ折込片６の斜罫線７に沿った折り曲げを伸ばして、前壁２を外側へ倒し、側壁３を内側へ倒して底壁１に重ねた状態で、底壁１と前壁２との境界の罫線、底壁１と後壁４との境界の罫線及び蓋板５の中間部の罫線１８に沿って巻き込むように折り重ね、折曲片１１を側方から巻き込むように折り曲げて切込１７へ差し込み、折畳状態を維持する。【選択図】図１４
2012051624.tif 000002
【特許請求の範囲】
【請求項１】
底壁(1)の周囲に前壁(2)、側壁(3)及び後壁(4)を連設して、後壁(4)から蓋板(5)を延出し、前壁(2)と側壁(3)とを繋ぐ折込片(6)に斜折線(7)を入れ、前壁(2)及び側壁(3)の起立に伴い、折込片(6)を斜罫線(7)沿いに折り重ねて組み立てる包装箱において、
前壁(2)の上端から延出されて内側下方へ向かう内前板(9)の両側に、側壁(3)の内面に沿う折曲片(11)を連設し、前壁(2)の両側部に切込(16)を設け、解体に際し、蓋板(5)を開き、内前板(9)を跳ね上げ、折込片(6)の折り曲げを伸ばして、前壁(2)を外側へ倒し、側壁(3)を内側へ倒して底壁(1)に重ねた状態で、底壁(1)と後壁(4)との境界の罫線及び前壁(2)と内前板(9)との境界の罫線に沿って巻き込むように折り重ね、折曲片(11)を側方から巻き込むように折り曲げて、切込(16)へ差し込むことにより、折畳状態を維持することを特徴とする折畳式包装箱。
【請求項２】
底壁(1)の周囲に前壁(2)、側壁(3)及び後壁(4)を連設して、後壁(4)から蓋板(5)を延出し、前壁(2)と側壁(3)とを繋ぐ折込片(6)に斜折線(7)を入れ、前壁(2)及び側壁(3)の起立に伴い、折込片(6)を斜罫線(7)沿いに折り重ねて組み立てる包装箱において、
前壁(2)の上端から延出されて内側下方へ向かう内前板(9)の両側に、側壁(3)の内面に沿う折曲片(11)を連設し、蓋板(5)の先端から延びる蓋前片(15)の両側部に切込(17)を設け、蓋板(5)の中間部に両側に亘る方向に延びる罫線(18)を入れ、解体に際し、蓋板(5)を開き、内前板(9)を跳ね上げ、折込片(6)の折り曲げを伸ばして、前壁(2)を外側へ倒し、側壁(3)を内側へ倒して底壁(1)に重ねた状態で、底壁(1)と前壁(2)との境界の罫線、底壁(1)と後壁(4)との境界の罫線及び蓋板(5)の中間部の罫線(18)に沿って巻き込むように折り重ね、折曲片(11)を側方から巻き込むように折り曲げて、切込(17)へ差し込むことにより、折畳状態を維持することを特徴とする折畳式包装箱。
【請求項３】
底壁(1)の周囲に前壁(2)、側壁(3)及び後壁(4)を連設して、後壁(4)から蓋板(5)を延出し、前壁(2)と側壁(3)とを繋ぐ折込片(6)に斜折線(7)を入れ、前壁(2)及び側壁(3)の起立に伴い、折込片(6)を斜罫線(7)沿いに折り重ねて組み立てる包装箱において、
蓋板(5)の先端から延びる蓋前片(15)の両側部及び蓋板(5)の両側から延びる蓋側片(19)の一方に差込片(20)を、他方に切込(21)を設け、底壁(1)及び側壁(3)の中間部に、両側に亘る方向及びその延長線上に延びる罫線(22)を入れ、解体に際し、蓋板(5)を開き、折込片(6)の折り曲げを伸ばして、前壁(2)を外側へ倒し、側壁(3)を内側へ倒して底壁(1)に重ねた状態で、底壁(1)及び側壁(3)の中間部の罫線(22)、後壁(4)と蓋板(5)との境界の罫線及び蓋板(5)と蓋前片(15)との境界の罫線に沿って巻き込むように折り重ね、蓋側片(19)を側方から巻き込むように折り曲げて、差込片(20)を切込(21)へ差し込むことにより、折畳状態を維持することを特徴とする折畳式包装箱。
【発明の詳細な説明】
【技術分野】
【０００１】
この発明は、使用の前後に、扁平に折り畳むことができる包装箱に関するものである。
【背景技術】
【０００２】
従来、下記特許文献１には、図２３に示すように、折畳式の包装箱として、底壁５１の周囲に前壁５２、側壁５３及び後壁５４を連設して、後壁５４から蓋板５５を延出し、前壁５２と側壁５３とを繋ぐ折込片５６を、底前部の角から延びる斜罫線５７の一側で前壁５２に貼り付け、側壁５３と後壁５４とを繋ぐ連結片５８を折り重ねて後壁５４に貼り付け、側壁５３に底後部の角から延びる斜罫線５９を入れたものが記載されている。
【０００３】
この包装箱は、折込片５６の斜罫線５７での折り曲げを伸ばし、側壁５３を斜罫線５９沿いに折り重ねて、前壁５２を外側へ倒すと共に、側壁５３及び後壁５４を内側へ倒した折状態で、嵩張ることなく保管しておくことができる。
【０００４】
また、使用に際しては、側壁５３の斜罫線５９に沿った折り曲げを伸ばして、側壁５３及び後壁５４を起立させ、折込片５６を斜罫線５７沿いに折り重ねて、前壁５２を起立させることにより、迅速に組み立てることができる。
【先行技術文献】
【特許文献】
【０００５】
【特許文献１】実開昭４７−３２６３６号公報
【発明の概要】
【発明が解決しようとする課題】
【０００６】
ところで、例えば、通信販売で商品を顧客に配送するために使用した包装箱を、リサイクルの推進のため、業者宛に返送してもらう回収ルートが提案されている。
【０００７】
しかしながら、上記のような包装箱を、折畳状態でポストに投函すると、郵送の過程で他の郵便物が折り畳んだ包装箱の間に挟まって紛れてしまったり、包装箱の折り曲げが反発で復元してしまい、仕分けや配達作業に支障が生じるおそれがある。
【０００８】
そこで、この発明は、コンパクトに折り畳んだ状態を確実に維持でき、他の郵便物等の挟み込みを防止できるようにすることを課題とする。
【課題を解決するための手段】
【０００９】
上記課題を解決するため、この発明は、底壁の周囲に前壁、側壁及び後壁を連設して、後壁から蓋板を延出し、前壁と側壁とを繋ぐ折込片に斜折線を入れ、前壁及び側壁の起立に伴い、折込片を斜罫線沿いに折り重ねて組み立てる包装箱において、前壁の上端から延出されて内側下方へ向かう内前板の両側に、側壁の内面に沿う折曲片を連設し、前壁の両側部に切込を設け、解体に際し、蓋板を開き、内前板を跳ね上げ、折込片の折り曲げを伸ばして、前壁を外側へ倒し、側壁を内側へ倒して底壁に重ねた状態で、底壁と後壁との境界の罫線及び前壁と内前板との境界の罫線に沿って巻き込むように折り重ね、折曲片を側方から巻き込むように折り曲げて、切込へ差し込むことにより、折畳状態を維持することとしたのである。
【００１０】
また、基本形態が同様の包装箱において、前壁の上端から延出されて内側下方へ向かう内前板の両側に、側壁の内面に沿う折曲片を連設し、蓋板の先端から延びる蓋前片の両側部に切込を設け、蓋板の中間部に両側に亘る方向に延びる罫線を入れ、解体に際し、蓋板を開き、内前板を跳ね上げ、折込片の折り曲げを伸ばして、前壁を外側へ倒し、側壁を内側へ倒して底壁に重ねた状態で、底壁と前壁との境界の罫線、底壁と後壁との境界の罫線及び蓋板の中間部の罫線に沿って巻き込むように折り重ね、折曲片を側方から巻き込むように折り曲げて、切込へ差し込むことにより、折畳状態を維持することとしたのである。
【００１１】
さらに、基本形態が同様の包装箱において、蓋板の先端から延びる蓋前片の両側部及び蓋板の両側から延びる蓋側片の一方に差込片を、他方に切込を設け、底壁及び側壁の中間部に、両側に亘る方向及びその延長線上に延びる罫線を入れ、解体に際し、蓋板を開き、折込片の折り曲げを伸ばして、前壁を外側へ倒し、側壁を内側へ倒して底壁に重ねた状態で、底壁及び側壁の中間部の罫線、後壁と蓋板との境界の罫線及び蓋板と蓋前片との境界の罫線に沿って巻き込むように折り重ね、蓋側片を側方から巻き込むように折り曲げて、差込片を切込へ差し込むことにより、折畳状態を維持することとしたのである。
【発明の効果】
【００１２】
この発明に係る折畳式包装箱は、組み立てると、通常の包装箱と同様に使用でき、使用後には、扁平に解体し、前後方向及び側方から巻き込むように折り曲げて、コンパクトに折り畳んだ状態を確実に維持できるので、ポストへの投函が可能となる。また、折り重なった部分の間への他の郵便物の挟み込み等の事故を防止できる。
【図面の簡単な説明】
【００１３】
【図１】この発明に係る折畳式包装箱の第１実施形態のブランクを示す図
【図２】同上の組立状態を示す斜視図
【図３】同上の開蓋状態を示す斜視図
【図４】同上の折畳過程を示す斜視図
【図５】同上の折畳過程を示す斜視図
【図６】同上の折畳過程を示す斜視図
【図７】同上の折畳状態を示す斜視図
【図８】この発明に係る折畳式包装箱の第２実施形態のブランクを示す図
【図９】同上の組立状態を示す斜視図
【図１０】同上の開蓋状態を示す斜視図
【図１１】同上の折畳過程を示す斜視図
【図１２】同上の折畳過程を示す斜視図
【図１３】同上の折畳過程を示す斜視図
【図１４】同上の折畳状態を示す斜視図
【図１５】この発明に係る折畳式包装箱の第３実施形態のブランクを示す図
【図１６】同上の組立状態を示す斜視図
【図１７】同上の開蓋状態を示す斜視図
【図１８】同上の折畳過程を示す斜視図
【図１９】同上の折畳過程を示す斜視図
【図２０】同上の折畳過程を示す斜視図
【図２１】同上の折畳過程を示す斜視図
【図２２】同上の折畳状態を示す斜視図
【図２３】従来の折畳式包装箱の開蓋状態を示す斜視図
【発明を実施するための形態】
【００１４】
まず、この発明の第１実施形態を図１乃至図７に基づいて説明する。
【００１５】
この包装箱の段ボール製ブランクでは、長方形の底壁１の一方の長辺に前壁２が、両短辺に側壁３が、他方の長辺に後壁４がそれぞれ連設され、後壁４の頂部に蓋板５が連設されている。前壁２と側壁３とは折込片６で繋がれ、折込片６には、底前部の角から延びる斜罫線７が入れられている。斜罫線７は、一般の罫線とは逆方向へ折れ曲がる逆罫とされている。
【００１６】
前壁２の頂部には、頂板８、内前板９及び底重片１０が順次連設され、底重片１０の先端中央部には摘み１０ａが設けられている。内前板９の両側には折曲片１１が連設され、折曲片１１の先端には切込１１ａが、中間から内前板９寄りには２本の補助罫線１１ｂが入れられている。内前板９と底重片１０及び折曲片１１との境界の罫線は、折曲抵抗を軽減するため断続的に切目を入れたリード罫とされている。
【００１７】
側壁３の先端には、蓋受片１２が連設され、側壁３及び蓋受片１２には、底後部の角から延びる斜罫線１３が入れられている。斜罫線１３は、一般の罫線とは逆方向へ折れ曲がる逆罫とされている。
【００１８】
後壁４の両側には、貼着片１４が連設され、蓋板５の先端には、蓋前片１５が連設されている。前壁２の頂板８寄りの両側部には、円弧状の切込１６が入れられている。
【００１９】
このようなブランクから包装箱を製造する際には、予め側壁３を内側へ折り曲げ、斜罫線１３に沿って折り返した状態で、折込片６を、前壁２との境界から斜罫線７までの部分において前壁２の裏面に貼り付け、貼着片１４を、側壁３の裏面の斜罫線１３より後方の部分に貼り付けておく。
【００２０】
そして、この包装箱を使用する際には、図２に示すように、前壁２及び側壁３の起立に伴い、折込片６を斜罫線７沿いに折り重ねる。
【００２１】
次に、折曲片１１を側壁３の内面に沿って折り曲げつつ、頂板８及び内前板９を、折込片６を巻き込むように内側へ折り曲げて、底重片１０を底壁１の上面に重ねる。
【００２２】
その後、箱内に商品を収納し、蓋受片１２を内側へ折り曲げ、蓋板５を閉じて、蓋前片１５を内前板９の内側に沿って箱内に差し込む。
【００２３】
このように商品を包装して顧客へ配送し、図３に示すように、蓋板５を開いて箱内から商品を取り出した後、不要となった包装箱は、以下のようにして解体し、折畳状態として業者へ返送することができる。
【００２４】
その手順としては、まず、図４に示すように、摘み１０ａを摘んで、内前板９を跳ね上げ、折曲片１１の内前板９からの折り曲げを伸ばし、斜罫線７に沿った折込片６の折り曲げを伸ばして、前壁２を外側へ倒すと共に、側壁３を斜罫線１３に沿って折り込むように内側へ倒す。蓋前片１５は、蓋板５の裏側に折り重ねておく。
【００２５】
次に、図５及び図６に示すように、側壁３を底壁１に重ねた状態で、底壁１と後壁４との境界の罫線及び前壁２と内前板９との境界の罫線に沿って巻き込むように折り曲げ、図７に示すように、表裏反転させた状態で、折曲片１１を側方から巻き込むように折り曲げて、切込１６へ差し込む。
【００２６】
このとき、折曲片１１を補助罫線１１ｂに沿って屈曲させると、折曲片１１を切込１６へ容易に差し込むことができ、その先端の切込１１ａを切込１６の内端に係合させると、折曲片１１を安定させることができる。
【００２７】
このように折り畳むと、段ボールの反発を抑制して、コンパクトに折り畳んだ状態を確実に維持でき、ポストへの投函が可能となる。また、折り重なった部分の間への他の郵便物の挟み込み等の事故を防止できる。
【００２８】
次に、この発明の第２実施形態を図８乃至図１４に基づいて説明する。なお、上記第１実施形態の各部と対応する部分には、同一の符号を使用する。
【００２９】
この包装箱の段ボール製ブランクでは、長方形の底壁１の一方の長辺に前壁２が、両短辺に側壁３が、他方の長辺に後壁４がそれぞれ連設され、後壁４の頂部に蓋板５が連設されている。前壁２及び後壁４と側壁３とは折込片６で繋がれ、折込片６には、底前部の角から延びる斜罫線７が入れられている。斜罫線７は、一般の罫線とは逆方向へ折れ曲がる逆罫とされ、その中間部には、折曲抵抗を抑制するＬ字状の切目が入れられている。
【００３０】
前壁２の先端には、頂板８及び内前板９が順次連設され、内前板９の先端両側部には係止爪９ａが、先端中央部には凹部９ｂがそれぞれ設けられている。また、底壁１と前壁２との境界には、両側部に係止穴１ａが設けられている。
【００３１】
内前板９の両側には折曲片１１が連設され、折曲片１１の先端には切込１１ａが、中間から内前板９寄りには補助罫線１１ｂが入れられている。内前板９と折曲片１１との境界の罫線は、折曲抵抗を軽減するため断続的に切目を入れたリード罫とされている。
【００３２】
側壁３の先端には、蓋受片１２が連設され、蓋板５の先端には、蓋前片１５が連設されている。蓋前片１５の先端両側部には、鉤状の切込１７が入れられている。また、蓋板５の中間部には、両側に亘る方向に延びる罫線１８が２本平行に入れられている。
【００３３】
このようなブランクから包装箱を製造する際には、予め側壁３を内側へ折り曲げて、折込片６を、前壁２との境界から斜罫線７までの部分において前壁２及び後壁４の裏面に貼り付けておく。
【００３４】
そして、この包装箱を使用する際には、図９に示すように、前壁２、側壁３及び後壁４の起立に伴い、折込片６を斜罫線７沿いに折り重ねる。
【００３５】
次に、折曲片１１を側壁３の内面に沿って折り曲げつつ、頂板８及び内前板９を、折込片６を巻き込むように内側へ折り曲げて、係止爪９ａを係止穴１ａに係合させる。
【００３６】
その後、箱内に商品を収納し、蓋受片１２を内側へ折り曲げ、蓋板５を閉じて、蓋前片１５を内前板９の内側に沿って箱内に差し込む。
【００３７】
このように商品を包装して顧客へ配送し、図１０に示すように、蓋板５を開いて箱内から商品を取り出した後、不要となった包装箱は、以下のようにして解体し、折畳状態として業者へ返送することができる。
【００３８】
その手順としては、まず、図１１に示すように、凹部９ｂに指を掛け、係止爪９ａと係止穴１ａとの係合を解除して、内前板９を跳ね上げ、折曲片１１の内前板９からの折り曲げを伸ばし、斜罫線７に沿った折込片６の折り曲げを伸ばして、前壁２を外側へ倒すとと共に、側壁３を内側へ倒す。
【００３９】
次に、図１２及び図１３に示すように、側壁３を底壁１に重ねた状態で、底壁１と前壁２との境界の罫線及び底壁１と後壁４との境界の罫線に沿って順次巻き込むように折り重ね、さらに、図１４に示すように、蓋板５の中間部の罫線１８に沿って巻き込むように折り重ね、折曲片１１を側方から巻き込むように折り曲げて、切込１７へ差し込む。
【００４０】
このとき、折曲片１１を補助罫線１１ｂに沿って屈曲させると、折曲片１１を切込１７へ容易に差し込むことができ、その先端の切込１１ａを切込１７の内端に係合させると、折曲片１１を安定させることができる。
【００４１】
このように折り畳むと、段ボールの反発を抑制して、コンパクトに折り畳んだ状態を確実に維持でき、ポストへの投函が可能となる。また、折り重なった部分の間への他の郵便物の挟み込み等の事故を防止できる。
【００４２】
次に、この発明の第３実施形態を図１５乃至図２２に基づいて説明する。なお、上記第１及び第２実施形態の各部と対応する部分には、同一の符号を使用する。
【００４３】
この包装箱の段ボール製ブランクでは、長方形の底壁１の一方の長辺に前壁２が、両短辺に側壁３が、他方の長辺に後壁４がそれぞれ連設され、後壁４の頂部に蓋板５が連設されている。前壁２と側壁３とは折込片６で繋がれ、折込片６には、底前部の角から延びる斜罫線７が入れられている。斜罫線７は、一般の罫線とは逆方向へ折れ曲がる逆罫とされている。
【００４４】
前壁２の頂部には、頂板８、内前板９及び底重片１０が順次連設され、底重片１０の先端中央部には摘み１０ａが設けられている。内前板９と底重片１０との境界の罫線は、折曲抵抗を軽減するため断続的に切目を入れたリード罫とされている。
【００４５】
側壁３には、底後部の角から延びる斜罫線１３が入れられ、斜罫線１３は、一般の罫線とは逆方向へ折れ曲がる逆罫とされている。
【００４６】
後壁４の両側には、貼着片１４が連設され、その基端の罫線１４ａは、折曲抵抗を軽減し、かつ、容易に切断できるように、断続的に切目を入れたリード罫とされている。
【００４７】
蓋板５の先端には、蓋前片１５が連設され、蓋板５の両側には、蓋側片１９が連設されている。蓋前片１５及び蓋側片１９には、それぞれ蓋板５との境界に平行な罫線１５ａ，１９ａが入れられている。
【００４８】
蓋前片１５の先端寄り両側部には、差込片２０が設けられ、差込片２０の基端には、内方向が蓋前片１５の先端側へ向かうように斜め方向に延びる補助罫線２０ａと、その内端に臨む凹部２０ｂとが入れられている。また、蓋側片１９の前端部には、スロット状の切込２１が設けられている。
【００４９】
さらに、底壁１及び側壁３の中間部には、両側に亘る方向及びその延長線上に延びる罫線２２が入れられてる。
【００５０】
このようなブランクから包装箱を製造する際には、予め側壁３を内側へ折り曲げて、斜罫線１３に沿って折り返した状態で、折込片６を、前壁２との境界から斜罫線７までの部分において前壁２の裏面に貼り付け、貼着片１４を、側壁３の裏面の斜罫線１３より後方の部分に貼り付けておく。
【００５１】
そして、この包装箱を使用する際には、図１６に示すように、前壁２及び側壁３の起立に伴い、折込片６を斜罫線７沿いに折り重ねる。
【００５２】
次に、頂板８及び内前板９を、折込片６を巻き込むように内側へ折り曲げて、底重片１０を底壁１の上面に重ねる。
【００５３】
その後、箱内に商品を収納し、蓋板５を閉じて、蓋前片１５及び蓋側片１９を、それぞれ内前板９及び側壁３の内側に沿って箱内に差し込む。
【００５４】
このように商品を包装して顧客へ配送し、図１７に示すように、蓋板５を開いて箱内から商品を取り出した後、不要となった包装箱は、以下のようにして解体し、折畳状態として業者へ返送することができる。
【００５５】
その手順としては、まず、図１８に示すように、摘み１０ａを摘んで、内前板９を跳ね上げ、貼着片１４の基端の罫線１４ａを切断し、斜罫線７に沿った折込片６の折り曲げを伸ばして、図１９に示すように、前壁２を外側へ倒し、側壁３を内側へ倒して底壁１に重ね、内前板９を前壁２との境界の罫線に沿って折り重ねる。また、蓋前片１５及び蓋側片１９を外側へ倒しておく。
【００５６】
次に、図２０及び図２１に示すように、底壁１及び側壁３の中間部の罫線２２に沿って折り重ね、後壁４と蓋板５との境界の罫線に沿って巻き込むように折り重ねる。
【００５７】
その後、図２２に示すように、蓋側片１９を蓋板５との境界の罫線及び罫線１９ａに沿って側方から巻き込むように折り曲げ、蓋前片１５を蓋板５との境界の罫線及び罫線１５ａに沿って折り重ね、差込片２０を切込２１へ差し込む。
【００５８】
このとき、差込片２０を補助罫線２０ａに沿って屈曲させると、差込片２０を切込２１へ容易に差し込むことができ、凹部２０ｂを切込２１の端縁に係合させると、差込片２０を切込２１から抜け止めすることができる。
【００５９】
このように折り畳むと、段ボールの反発を抑制して、コンパクトに折り畳んだ状態を確実に維持でき、ポストへの投函が可能となる。また、折り重なった部分の間への他の郵便物の挟み込み等の事故を防止できる。
【００６０】
なお、この実施形態では、蓋前片１５に差込片２０を、蓋側片１９に切込２１をそれぞれ設けたものを例示したが、これとは逆に、蓋前片１５に切込２１を、蓋側片１９に差込片２０をそれぞれ設けるようにしてもよい。
【００６１】
ところで、上記第１及び第３実施形態では、内前片９の先端に連設した底重片１０を底壁１に重ね、第２実施形態では、内前板９の先端に設けた係止爪９ａを底壁１の係止穴１ａに係合させて、内前板９の迫り出しを防止するようにしたが、これらの実施形態には、いずれの迫出防止手段を適用してもよい。
【００６２】
また、上記第１及び第３実施形態では、貼着片１４を貼り付けて側壁３と後壁４とを連結し、第２実施形態では、折込片６により側壁３と後壁４とを連結しているが、これらの実施形態では、いずれの構成により側壁３と後壁４とを連結してもよい。また、貼着片１４を後壁４から延出して側壁３に貼り付けているが、貼着片１４は、側壁３から延出して後壁４に貼り付けるようにしてもよい。
【符号の説明】
【００６３】
１  底壁
１ａ  係止穴
２  前壁
３  側壁
４  後壁
５  蓋板
６  折込片
７  斜罫線
８  頂板
９  内前板
９ａ  係止爪
９ｂ  凹部
１０  底重片
１０ａ  摘み
１１  折曲片
１１ａ  切込
１１ｂ  補助罫線
１２  蓋受片
１３  斜罫線
１４  貼着片
１４ａ  罫線
１５  蓋前片
１５ａ  罫線
１６  切込
１７  切込
１８  罫線
１９  蓋側片
１９ａ  罫線
２０  差込片
２０ａ  補助罫線
２０ｂ  凹部
２１  切込
２２  罫線
【図１】
2012051624.tif 000003
【図２】
2012051624.tif 000004
【図３】
2012051624.tif 000005
【図４】
2012051624.tif 000006
【図５】
2012051624.tif 000007
【図６】
2012051624.tif 000008
【図７】
2012051624.tif 000009
【図８】
2012051624.tif 000010
【図９】
2012051624.tif 000011
【図１０】
2012051624.tif 000012
【図１１】
2012051624.tif 000013
【図１２】
2012051624.tif 000014
【図１３】
2012051624.tif 000015
【図１４】
2012051624.tif 000016
【図１５】
2012051624.tif 000017
【図１６】
2012051624.tif 000018
【図１７】
2012051624.tif 000019
【図１８】
2012051624.tif 000020
【図１９】
2012051624.tif 000021
【図２０】
2012051624.tif 000022
【図２１】
2012051624.tif 000023
【図２２】
2012051624.tif 000024
【図２３】
2012051624.tif 000025